(57)【要約】【課題】    十分な断熱性能および良好な操作性を確保することができる建具を提供すること。【解決手段】左右の縦枠１３の室内外のレール部材１３３，１３４間に上部アタッチメント１４Ａ、下部アタッチメント１４Ｂおよび気密部材１５１を上下に連続して取り付け、これらの各部材１４Ａ，１４Ｂ，１５が互いに分割されていることで、これらの各部材１４Ａ，１４Ｂ，１５と縦枠１３との間の熱伝導、および各部材１４Ａ，１４Ｂ，１５同士間での熱伝導が抑制され十分な断熱性能を確保することができる。さらに、下部障子３０の気密材３３２Ａが上部アタッチメント１４Ａに当接しないようになっているので、下部障子３０を開放する際の操作力を小さくすることができ、操作性を良好にすることができる。【選択図】  図６
2006241744.tif 000002
【特許請求の範囲】
【請求項１】
上枠、下枠、および左右の縦枠を有する窓枠と、この窓枠内にスライド開閉可能に支持された少なくとも室内外一対の障子とを備え、
前記窓枠の上下左右の枠材のうち、上下一対の枠材または左右一対の枠材には、それぞれ前記室内外の障子を案内する室内外のレール部が設けられるとともに、これら室内外のレール部同士の間に当該枠材に沿った補助枠材が取り付けられ、
前記補助枠材は、閉じた状態の前記室内側障子の室外側に沿った室外側補助枠材と、閉じた状態の前記室外側障子の室内側に沿った室内側補助枠材とを有し、これら室内外の補助枠材間には、召合せ部補助部材が介装され、前記室外側補助枠材、室内側補助枠材、および召合せ部補助部材が略一直線状に連続して配置され、
前記室内側障子には、前記室外側補助枠材および召合せ部補助部材に当接可能かつ前記室内側補助枠材に当接不能な気密材が設けられ、
前記室外側障子には、前記室内側補助枠材および召合せ部補助部材に当接可能かつ前記室外側補助枠材に当接不能な気密材が設けられている建具。
【請求項２】
前記窓枠の上下左右の枠材は、それぞれ前記室内側障子を支持する室内部材と、前記室外側障子を支持する室外部材と、これらの室内部材と室外部材とを連結する断熱部材とを有して構成され、
前記補助枠材は、前記互いに対向する一対の枠材における前記室内部材と前記室外部材とに跨り、かつ前記断熱部材の見付け方向内側を覆って取り付けられている請求項１に記載の建具。
【請求項３】
前記補助枠材は、見付け方向に延びた見付け面部と、この見付け面部の見付け方向内端に連続した傾斜面部とを有して断面略三角形状に形成され、
前記室内側補助枠材は、前記見付け面部を室外側に向けかつ前記傾斜面部を室内側に向けて配置され、前記室外側補助枠材は、前記見付け面部を室内側に向けかつ前記傾斜面部を室外側に向けて配置されている請求項１または請求項２に記載の建具。
【請求項４】
前記補助枠材は、室内部材と、室外部材と、これらの室内部材と室外部材とを連結する断熱部材とを有して構成されている請求項１から請求項３のいずれかに記載の建具。
【請求項５】
前記障子は、上下二段の障子から構成されており、
前記補助枠材は、前記左右の縦枠に取り付けられている請求項１から請求項４のいずれかに記載の建具。
【発明の詳細な説明】
【技術分野】
【０００１】
本発明は、建具に関し、詳しくは、窓枠と、この窓枠内に支持された一対の障子とを備えた上げ下げ窓等の建具に関する。
【背景技術】
【０００２】
住宅等の外壁開口部に設けられる窓（サッシ窓）として、室内外一対の障子を備えた上げ下げ窓が知られている（例えば、特許文献１参照）。
特許文献１に記載された上げ下げ窓は、窓枠と、この窓枠の上半分に固定された室外障子（固定障子）と、この固定障子の室内側に沿って上下にスライド開閉自在に設けられた室内障子（可動障子）とを備えて構成されている。この上げ下げ窓の窓縦枠には、可動障子をスライド自在に案内する凹溝状のレール部と、固定障子を支持する凹溝状の支持部とが、室内外に隣接して形成され、つまりレール部の室外側側壁および支持部の室内側側壁を構成する突片が上下に連続して形成されている。そして、可動障子の縦框には、突片に当接して窓の気密性を確保するための気密材が設けられており、この気密材は、可動障子の開閉に伴って突片に摺接するようになっている。
【０００３】
【特許文献１】特開２００３−２７８０９号公報
【発明の開示】
【発明が解決しようとする課題】
【０００４】
しかしながら、前記特許文献１に記載の上げ下げ窓では、縦枠に形成されて室内外の障子を仕切る突片が上下に連続して設けられているので、障子を閉じた状態において、突片の下側略半分が室外空間に露出し、上側略半分が室内空間に露出することとなる。このため、この突片が熱橋となってしまって窓の断熱性能が十分に確保できず、特に冬季には、室内側に露出した突片が結露してしまうという問題がある。
また、可動障子の開閉に伴って気密材が突片に摺接するため、開閉に要する操作力、特に可動障子を開放するための上方への操作力が大きくなってしまい、操作性が悪くなるという問題もある。
【０００５】
本発明の目的は、十分な断熱性能および良好な操作性を確保することができる建具を提供することにある。
【課題を解決するための手段】
【０００６】
本発明の建具は、上枠、下枠、および左右の縦枠を有する窓枠と、この窓枠内にスライド開閉可能に支持された少なくとも室内外一対の障子とを備え、前記室内外一対の障子のうちの少なくとも一方は、スライド開閉可能に設けられた可動障子であって、前記窓枠の上下左右の枠材のうち、上下一対の枠材または左右一対の枠材には、それぞれ前記室内外の障子を案内する室内外のレール部が設けられるとともに、これら室内外のレール部同士の間に当該枠材に沿った補助枠材が取り付けられ、前記補助枠材は、閉じた状態の前記室内側障子の室外側に沿った室外側補助枠材と、閉じた状態の前記室外側障子の室内側に沿った室内側補助枠材とを有し、これら室内外の補助枠材間には、召合せ部補助部材が介装され、前記室外側補助枠材、室内側補助枠材、および召合せ部補助部材が略一直線状に連続して配置され、前記室内側障子には、前記室外側補助枠材および召合せ部補助部材に当接可能かつ前記室内側補助枠材に当接不能な気密材が設けられ、前記室外側障子には、前記室内側補助枠材および召合せ部補助部材に当接可能かつ前記室外側補助枠材に当接不能な気密材が設けられていることを特徴とする。
【０００７】
ここで、建具としては、引違い窓のように障子が左右にスライド開閉自在に設けられたものでもよく、この場合には、上下一対の枠材（上枠および下枠）にレール部および補助枠材が設けられ、また、上げ下げ窓のように障子が上下にスライド開閉可能に設けられたものでもよく、この場合には、左右一対の枠材（左右の縦枠）にレール部および補助枠材が設けられる。
また、障子としては、少なくとも室内外（左右または上下）一対の２枚の障子を備えていればよく、３枚以上の障子から構成されていてもよい。
【０００８】
以上の本発明によれば、四周の窓枠のうち室内外の障子を案内する一対の枠材（上枠と下枠、または左右の縦枠）において、レール部間すなわち室内外の障子を仕切る位置に補助枠材を取り付け、この補助枠材に障子の気密材を当接させたことで、障子を閉じた状態での建具の気密性が確保できる。
また、補助枠材を、窓枠と別体の部材から構成して窓枠に取り付けるとともに、室外側補助枠材および室内側補助枠材に分割し、これらの間に召合せ部補助部材を介装したことで、窓枠と補助枠材との間の熱伝導および補助枠材同士間での熱伝導が抑制され、建具の断熱性能を向上させることができる。
さらに、室内側障子の気密材が室内側補助枠材に当接せず、室外側障子の気密材が室外側補助枠材に当接しないようにしたことで、障子を開放するにしたがって気密材と補助枠材との当接長さが徐々に短くなるので、障子の開放操作の操作力を小さくすることができ、操作性を良好にすることができる。特に、建具が上げ下げ窓である場合には、下部障子を持ち上げて開放する際の操作力が小さくできるので、効果的である。
【０００９】
この際、本発明の建具では、前記窓枠の上下左右の枠材は、それぞれ前記室内側障子を支持する室内部材と、前記室外側障子を支持する室外部材と、これらの室内部材と室外部材とを連結する断熱部材とを有して構成され、前記補助枠材は、前記互いに対向する一対の枠材における前記室内部材と前記室外部材とに跨り、かつ前記断熱部材の見付け方向内側を覆って取り付けられていることが好ましい。
このような構成によれば、室内部材、室外部材、および断熱部材を有して窓枠が構成された断熱サッシにおいて、断熱部材の見付け方向内側を覆って前述のような補助枠材を取り付けることで、より一層断熱性能を向上させることができるとともに、建具の意匠性も向上させることができる。
【００１０】
さらに、本発明の建具では、前記補助枠材は、見付け方向に延びた見付け面部と、この見付け面部の見付け方向内端に連続した傾斜面部とを有して断面略三角形状に形成され、前記室内側補助枠材は、前記見付け面部を室外側に向けかつ前記傾斜面部を室内側に向けて配置され、前記室外側補助枠材は、前記見付け面部を室内側に向けかつ前記傾斜面部を室外側に向けて配置されていることが好ましい。
このような構成によれば、見付け面部と傾斜面部とを有して断面略三角形状に形成した部材を反転して配置することで、室内側補助枠材および室外側補助枠材を構成し、見付け面部に気密材を当接させ、傾斜面部には気密材を当接させないようにすることができるとともに、部品の共通化を図ることができる。
【００１１】
また、本発明の建具では、前記補助枠材は、室内部材と、室外部材と、これらの室内部材と室外部材とを連結する断熱部材とを有して構成されていることが好ましい。
このような構成によれば、補助枠材自体における室内外の熱伝導も抑制されるので、さらに一層断熱性能を向上させることができる。
【００１２】
また、本発明の建具では、前記障子は、上下二段の障子から構成されており、前記補助枠材は、前記左右の縦枠に取り付けられていることが好ましい。
このような構成によれば、前述の効果を有した上げ下げ窓を構成することができる。そして、上げ下げ窓の下部障子においては、開放操作する際の操作力が小さくできることで、操作性が良好にできる、あるいは下部障子を大型化した場合でも、操作性が損なわれないようにできる。
【発明を実施するための最良の形態】
【００１３】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３は、上げ下げ窓１を示す横断面図であって、上部障子位置における横断面図である。
図１〜図３において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１４】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１５】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１６】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、これら上下の障子２０，３０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１７】
次に、図４〜図７も参照して上げ下げ窓１の各部詳細について説明する。
図４は、上げ下げ窓１の縦枠１３および上部障子２０の縦框２３を拡大して示す横断面図である。図５は、上げ下げ窓１の縦枠１３および下部障子３０の縦框３３を拡大して示す横断面図である。図６は、縦枠１３の召合せ部近傍を拡大して示す斜視図である。図７(Ａ)〜(Ｃ)は、縦枠１３と障子２０，３０との気密構造を説明する図である。
【００１８】
縦枠１３は、図４および図５に示すように、それぞれアルミ押出形材製の室内部材１３１、室外部材１３２、室内レール部材（レール部）１３３、および室外レール部材（レール部）１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室外部材１３２が建物躯体４にビス止め固定され、室内レール部材１３３が室内部材１３１に、室外レール部材１３４が室外部材１３２に、それぞれビス止め固定されている。室内レール部材１３３および室外レール部材１３４は、見付け方向内側に向かって開口した断面略Ｃ字形に形成されており、それぞれ上部障子２０および下部障子３０を上下に案内可能に構成されている。
【００１９】
上部障子２０の縦框２３は、図４に示すように、それぞれアルミ押出形材製の室内部材２３１および室外部材２３２と、これらの室内部材２３１と室外部材２３２とを連結する樹脂製の断熱部材２３３とを備えて形成されている。そして、縦框２３は、見付け方向内側に開口した溝状に形成されており、室内部材２３１と室外部材２３２との間に、断面略コ字形のガスケットを介してガラスパネル２４の側端縁が挟持されて支持されている。室内部材２３１の室内側側面には、上部アタッチメント１４Ａ（後述）に当接して気密性を確保する気密材２３１Ａが取り付けられており、室外部材２３２の見付け方向外側側面には、縦枠１３の室外レール部材１３４に当接して埃等の浸入を防止するモヘヤ２３２Ａが取り付けられている。
【００２０】
下部障子３０の縦框３３は、図５に示すように、それぞれアルミ押出形材製の室内部材３３１および室外部材３３２と、これらの室内部材３３１と室外部材３３２とを連結する樹脂製の断熱部材３３３とを備えて形成されている。そして、縦框３３は、見付け方向内側に開口した溝状に形成されており、室内部材３３１と室外部材３３２との間に、断面略コ字形のガスケットを介してガラスパネル３４の側端縁が挟持されて支持されている。室内部材３３１の見付け方向外側側面には、縦枠１３の室内レール部材１３３に当接して埃等の浸入を防止するモヘヤ３３１Ａが取り付けられており、室外部材３３２の室外側側面には、下部アタッチメント１４Ｂ（後述）に当接して気密性を確保する気密材３３２Ａが取り付けられている。
【００２１】
また、図示を省略するが、窓枠１０の上枠１１および下枠１２も縦枠１３と同様に、それぞれアルミ押出形材製の室内部材および室外部材と、これらを連結する樹脂製の断熱部材とを備えて形成されている。そして、上部障子２０および下部障子３０の上框２１，３１および下框２２，３２も、縦框２３，３３と同様に、それぞれアルミ押出形材製の室内部材および室外部材と、これらを連結する樹脂製の断熱部材とを備えて形成されている。このように本実施形態の上げ下げ窓１は、窓枠１０および上下の障子２０，３０が断熱性に優れた断熱サッシとなっている。
【００２２】
また、上部障子２０の縦框２３（または上下框２１，２２）には、室外レール部材１３４の溝内に挿入されるスライドシュー２５が設けられており、これらのスライドシュー２５が室外レール部材１３４に沿って案内されることで、上部障子２０が上下にスライド開閉されるようになっている。一方、下部障子３０の下框３２には、室内レール部材１３３に挿入されるスライドシュー３６が設けられており、下部障子３０の上框３１には、ラッチ装置（不図示）が設けられており、このラッチ装置から突出した突出片が室内レール部材１３３に挿入されている。そして、これらのスライドシュー３６およびラッチ装置の突出片が室内レール部材１３３に沿って案内されることで、下部障子３０が上下にスライド開閉されるようになっている。
【００２３】
以上の窓枠１０において、互いに対向する一対の枠材である左右の縦枠１３の室内レール部材１３３と室外レール部材１３４との間には、室内側補助枠材である上部アタッチメント１４Ａと、室外側補助枠材である下部アタッチメント１４Ｂと、これら上下のアタッチメント１４Ａ，１４Ｂ間に介装された召合せ部補助部材である気密部材（風止板）１５とが、上下に連続して設けられている。そして、上下のアタッチメント１４Ａ，１４Ｂおよび気密部材１５は、それぞれ縦枠１３の断熱部材１３６の見付け方向内側を覆って、室内レール部材１３３と室外レール部材１３４とに係合されて取り付けられている。
【００２４】
上部アタッチメント１４Ａは、閉じた状態の上部障子２０の縦框２３室内側に沿って設けられ、下部アタッチメント１４Ｂは、閉じた状態の下部障子３０の縦框３３室外側に沿って設けられている。これらの上部アタッチメント１４Ａおよび下部アタッチメント１４Ｂは、共通の部材から構成され、互いに反転した状態で配置されている。すなわち、上部アタッチメント１４Ａおよび下部アタッチメント１４Ｂは、見付け方向に延びた見付け面部１４１と、この見付け面部１４１の見付け方向内端に連続した傾斜面部１４２とを有して断面略三角形状に形成されている。そして、上部アタッチメント１４Ａは、見付け面部１４１を室外側に向けかつ傾斜面部１４２を室内側に向けて配置され、下部アタッチメント１４Ｂは、見付け面部１４１を室内側に向けかつ傾斜面部１４２を室外側に向けて配置されている。また、上部アタッチメント１４Ａおよび下部アタッチメント１４Ｂは、見付け面部１４１の途中位置から斜めに延びた支持面部１４３を有し、この支持面部１４３と傾斜面部１４２とが縦枠１３に当接して設置されることで、見込み方向の荷重に対して抵抗できるようになっている。
【００２５】
また、気密部材１５は、上部アタッチメント１４Ａおよび下部アタッチメント１４Ｂと同一断面を有した気密部材１５１と、この気密部材１５１に固定された気密部１５２とを有して形成されている。
以上のような上部アタッチメント１４Ａの見付け面部１４１には、閉じた上部障子２０の気密材２３１Ａが当接し、下部アタッチメント１４Ｂの見付け面部１４１には、閉じた下部障子３０の気密材３３２Ａが当接するとともに、これらの気密材２３１Ａの下端部と気密材３３２Ａの上端部とが気密部材１５の気密部１５２に当接するようになっている。また、気密部材１５の気密部１５２には、上部障子２０の下框２２あるいは下部障子３０の上框３１に設けられた横気密材（不図示）が当接するようになっている。このようにして縦枠１３における縦方向の気密ラインが形成され、上げ下げ窓１における気密性が確保されている。
【００２６】
さらに、図７(Ｂ)，(Ｃ)に示すように、下部障子３０を上方にスライドさせて開放した開放状態において、気密材３３２Ａは、下部アタッチメント１４Ｂの見付け面部１４１に摺接するものの、上部アタッチメント１４Ａの傾斜面部１４２には摺接（当接）しないようになっている。これと同様に、上部障子２０を下方にスライドさせて開放した開放状態において、気密材２３１Ａは、上部アタッチメント１４Ａの見付け面部１４１に摺接するものの、下部アタッチメント１４Ｂの傾斜面部１４２には摺接（当接）しないようになっている。
【００２７】
このような本実施形態によれば、以下のような効果がある。
（１）すなわち、左右の縦枠１３の室内外のレール部材１３３，１３４間に上部アタッチメント１４Ａ、下部アタッチメント１４Ｂおよび気密部材１５１を上下に連続して取り付け、これらの各部材１４Ａ，１４Ｂ，１５に上部障子２０および下部障子３０の気密材２３１Ａ，３３２Ａを当接させたことで、障子を閉じた状態での上げ下げ窓１の気密性が確保できる。
【００２８】
（２）また、上部アタッチメント１４Ａ、下部アタッチメント１４Ｂおよび気密部材１５１を、縦枠１３と別体に形成して取り付けたので、これらの各部材に相当する気密材当接部を縦枠１３に一体に形成した場合よりも、これらの各部材１４Ａ，１４Ｂ，１５と縦枠１３との間の熱伝導が抑制される。ここで、各部材１４Ａ，１４Ｂ，１５を、例えば樹脂製とすれば、金属製の場合と比較して熱伝導の抑制効果が大きくなる。また、上部アタッチメント１４Ａ、下部アタッチメント１４Ｂおよび気密部材１５１が互いに分割されていることで、各部材１４Ａ，１４Ｂ，１５同士間での熱伝導が抑制される。従って、窓枠１０を介しての室内外間の熱伝導を抑制することで、上げ下げ窓１の断熱性能を向上させることができる。
【００２９】
（３）さらに、下部障子３０の気密材３３２Ａが上部アタッチメント１４Ａに当接せず、上部障子２０の気密材２３１Ａが下部アタッチメント１４Ｂに当接しないようになっているので、障子を開放するにしたがって気密材３３２Ａ，２３１Ａと上部または下部アタッチメント１４Ａ，１４Ｂとの当接長さが徐々に短くなり、障子の開放操作の操作力を小さくすることができ、操作性を良好にすることができる。特に、下部障子３０では、持ち上げて開放する際の操作力が小さくできるので、操作力が小さくなることで操作性が向上される、あるいは下部障子３０を大型化した場合でも、操作性が損なわれないようにできる。
【００３０】
（４）また、窓枠１０および上下の障子２０，３０の框材が室内部材、室外部材、および断熱部材を有して構成された断熱サッシにおいて、縦枠１３の断熱部材１３６の見付け方向内側を覆って上部アタッチメント１４Ａ、下部アタッチメント１４Ｂおよび気密部材１５１が取り付けられているので、より一層断熱性能を向上させることができるとともに、意匠性も向上させることができる。
【００３１】
（５）また、上下のアタッチメント１４Ａ，１４Ｂが見付け面部１４１と傾斜面部１４２とを有して形成された同一部材から構成され、この部材を反転して配置されているので、部品の共通化を図ることができる。
【００３２】
なお、本発明は、前記実施形態に限定されるものではなく、本発明の目的を達成できる他の構成等を含み、以下に示すような変形等も本発明に含まれる。
例えば、前記実施形態においては、上げ下げ窓１を例示して説明したが、本発明の建具は、上げ下げ窓１に限らず、引違い窓のように障子が左右にスライド開閉自在に設けられたものでもよい。この際、引違い窓や片引き窓においては、補助枠材を上枠と下枠とに設ければよい。
また、前記実施形態においては、上げ下げ窓１が上下一対の２枚の障子（上部障子２０および下部障子３０）を有して構成されていたが、これに限らず、３枚以上の障子を有して構成されていてもよい。
【００３３】
また、補助枠材（上下のアタッチメント）としては、前記実施形態で説明したものの他に、次の図８に示す形態を有したものであってもよい。なお、図８においては、閉じた下部障子３０の室外側に沿って設けられる室外側補助枠材を示している。
図８(Ａ)に示すアタッチメント１４Ｃは、前記実施形態の上下のアタッチメント１４Ａ，１４Ｂの傾斜面部１４２に相当する部分が略円弧状に形成され、かつ前記支持面部１４３が省略された形態となっている。すなわち、アタッチメント１４Ｃは、見付け方向に延びる見付け面部１４１と、この見付け面部１４１の見付け方向内端に連続した曲面部１４４とを有して断面略扇形状に形成されている。そして、アタッチメント１４Ｃの曲面部１４４には、上部障子２０および下部障子３０の気密材２３１Ａ，３３２Ａが当接不能になっている。
【００３４】
一方、図８(Ｂ)に示すアタッチメント１４Ｄは、前記実施形態の上下のアタッチメント１４Ａ，１４Ｂと略同一の外形を有しているが、第１部材１４５と、第２部材１４６と、これらの第１および第２の部材１４５，１４６を連結する断熱部材１４７とを有して構成されている点が相違している。そして、第１部材１４５が下部障子３０の気密材３３２Ａよりも室内側に設けられる室内部材を構成し、第２部材１４６が気密材３３２Ａよりも室外側に設けられる室外部材を構成するようになっている。なお、アタッチメント１４Ｄを反転させて閉じた上部障子２０の室内側に沿って設ける場合には、第１部材１４５が上部障子２０の気密材２３１Ａよりも室外側に設けられる室外部材を構成し、第２部材１４６が気密材２３１Ａよりも室内側に設けられる室内部材を構成するようになる。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３６】
【図１】本発明の実施形態に係る建具を室外側から見た正面図である。
【図２】前記建具を示す縦断面図である。
【図３】前記建具を示す横断面図であり、上部障子位置での横断面図である。
【図４】前記建具における縦枠および上部障子の縦框を拡大して示す横断面図である。
【図５】前記建具における縦枠および下部障子の縦框を拡大して示す横断面図である。
【図６】前記縦枠の召合せ部近傍を拡大して示す斜視図である。
【図７】(Ａ)〜(Ｃ)は、前記縦枠と障子との気密構造を説明する図である。
【図８】(Ａ)，(Ｂ)は、本発明の変形例に係る補助枠材を示す横断面図である。
【符号の説明】
【００３７】
１０…窓枠、１１…上枠、１２…下枠、１３…縦枠、１４Ａ…室内側補助枠材である上部アタッチメント、１４Ｂ…室外側補助枠材である下部アタッチメント、１４Ｃ，１４Ｄ…補助枠材、１５…召合せ部補助部材である気密部材、２０…上部障子、３０…下部障子、１３１…室内部材、１３２…室外部材、１３３…レール部である室内レール部材、１３４…レール部である室外レール部材、１３５，１３６…断熱部材、１４１…見付け面部、１４２…傾斜面部、１４５…室内部材である第１部材、１４６…室外部材である第２部材、１４７…断熱部材、２３１Ａ，３３２Ａ…気密材。
【図１】
2006241744.tif 000003
【図２】
2006241744.tif 000004
【図３】
2006241744.tif 000005
【図４】
2006241744.tif 000006
【図５】
2006241744.tif 000007
【図６】
2006241744.tif 000008
【図７】
2006241744.tif 000009
【図８】
2006241744.tif 000010